(57)【要約】【課題】  簡素な構成で能率良く高速でインサート成形を可能にし、金型温度調節手段の配管又は電源線をターンテーブル内外間で接続するためにスイベルジョイントやスリップリング等を必要としないようにすること。【解決手段】  中心軸４を中心に１２０度の角度間隔で設定した取り出し・装填ステージｓ１、第２装填ステージｓ２及び成形ステージｓ３の間を、その中心軸４を中心に回転するターンテーブル１と、その上に中心軸４を中心とする仮想円弧に沿って１２０度の角度間隔で配した３個の下金型２ａ、２ｂ、２ｃと、成形ステージｓ３で下方に停止した下金型２ａ、２ｂ、２ｃのいずれかと対面し得る位置関係で取付部材６の下面に配した一個の上金型３と、ターンテーブル１を、１２０度ずつの一方向２度の回転と、２４０度の逆方向１度の回転とをセットとして行うように制御する制御手段とを備える。【選択図】  図１
0003124611.tif 000002
【実用新案登録請求の範囲】
【請求項１】
軸心を中心に回転し、その軸心を中心に１２０度の角度間隔で設定した成形ステージ、取り出し・装填ステージ及び第２装填ステージの間を回転し得るターンテーブルと、
前記ターンテーブル上にその軸心を中心とする仮想円弧に沿って１２０度の角度間隔で配した３個の下金型と、
前記成形ステージで下方に停止した前記下金型と対面し得る位置関係に配した一個の上金型と、
前記ターンテーブルを、これに配した下金型のいずれか一つが上金型と対面しながら前記成形ステージに、他の二つの下金型が取り出し・装填ステージ又は第２装填ステージに、それぞれ位置して一時停止した後、いずれか一回転方向への１２０度の回転と回転先ステージでの一時停止を２度繰り返し、次いで逆回転方向への２４０度の回転により原ステージに復帰するサイクルを繰り返させるように構成した制御手段と、
を備えた射出成形機。
【請求項２】
前記一時停止の時間が、上型と下型とが対面する成形ステージでは、成形加工を、取り出し・装填ステージでは、成形品の取り出しとインサート部品の装填を、装填ステージでは残余のインサート部品の装填を、それぞれ行うのに必要な時間に設定されている請求項１の射出成形機。
【考案の詳細な説明】
【技術分野】
【０００１】
本考案は、射出成形機、特にキャビティ中に多数のインサート部品を装填して射出成形によりインサート成形品を成形する射出成形機に関するものである。
【背景技術】
【０００２】
インサート成形品は、金属や木質等の種々の材質のインサート部品を金型のキャビティ内に予め装填しておき、該キャビティ内に樹脂を注入充填することにより成形される。このようなインサート成形品の成形は、樹脂の注入に先だってインサート部品を金型のキャビティ内に装填しておく必要がある関係上、樹脂のみによって成形される通常の成形品の成形作業に比較して作業工程が複雑になる。
【０００３】
そこで、このような問題に対処するものとして、ロータリー式射出成形機（特許文献１）が提案されている。
このロータリー式射出成形機は、一個の上金型と２個以上の下金型を備え、上金型を配置した型締めステーションと成形された製品の取り出しやインサートワークの金型への供給を行う他のステーションの間で各下型を移動させる回転テーブルを設け、型締めステーションに回転テーブル上の下金型を上金型に向けて移動させて上金型と下金型とを型締めする型締め手段を配設したものである。
【０００４】
このロータリー式射出成形機は、特にインサート成形に於いて、ワークのセット及び製品取り出しの各ステーションを成形ステーションから分離し、１個の上金型に対して２個以上の下金型を用いることにより、成形ステーションで１個の下金型と上金型とで成形を行っている間に、他のステーションで下金型からの製品取り出しやインサートワークのセットを行うようにしたものであり、これによって成形の高速化を実現し、同時に、型締めステーションで下型を上金型に向けて移動させる型締め手段を構成したことにより、回転テーブルに過大な型締め力が掛からないようにしたものでもある。
【０００５】
従ってそのような作用動作の範囲では優れた装置であるもの認められる。しかし、例えば、前記回転テーブルに関し、該文献１中には、その回転方向について全く言及がないので、常に一定方向に回転するものと想定されるが、そうであるとすれば、文言上も図面上も全く記載のない金型の温度調節に関して厄介な問題があることを認めざるを得ない。
【０００６】
例えば、金型の温度調節のために熱媒体として液体（水、油、エチレングリコール）を用いる場合は、回転テーブル上の金型と装置本体側との間の配管は、両者の間での回転を許容した接続とする必要があり、スイベルジョイントのような結合手段を用いる必要がある。金型の温度調節のために電気ヒータを用いる場合は、回転テーブルの内外の間をスリップリングで接続する必要がある。
【０００７】
これらはそれぞれ回転を許容しつつ接続する手段であるが、その性能を長期にわたって維持するのは難しく、回転を不要とする場合の通常の配管や配線と比べればその耐久性は遙かに短い物と云わざるを得ない。
【０００８】
更に、同様な問題に対処するものとして、他の射出成形装置（特許文献２）が提案されている。
この射出成形装置は、成形ステージを含む複数ステージを循環移動可能に取り付けられた複数の下金型と、前記成形ステージに一対の上金型を配備し、この一対の上金型を型締め位置と待避位置とを交互移動可能としつつ型締めのための昇降移動を可能に支持し、前記上金型の待避位置にはランナチャック手段を設け、当該ランナチャック手段は前記上金型に付帯したランナを型締め動作の昇降時に把持して金型から抜き取り除去可能としてなるものである。
【０００９】
この射出成形装置も、同様に、特にインサート成形に於いて、インサート部品のセット及び製品取り出しの各ステーションを成形ステーションから分離したもので、その関係では、特許文献１の装置と同様に動作して成形の高速化を実現したものと認めることができる。この射出成形装置は、更に、上金型を交互に型締め位置と待避位置とに移動させ、型締め位置に位置する一方の上金型と成形ステージに移動してきた下金型とで成形動作を行う間に、待避位置に位置する他方の上金型に付帯するランナを除去する動作を行うものであり、その点に特徴を有している。
【００１０】
従って、特許文献１と同様に優れた面を持つが、同様に金型の温度調節のために、熱媒体として液体を用いる場合は、スイベルジョイントを用いる必要があり、電気ヒータを用いる場合はスリップリングを用いる必要がある問題を抱えている。
【００１１】
【特許文献１】特開平０８―２８１６９６号公報
【特許文献２】特開２０００−２０２８６１号公報
【考案の開示】
【考案が解決しようとする課題】
【００１２】
本考案は、インサート成形に関して、ロータリー式を採用して、簡素な構成でありながら能率良く高速で成形可能にすると共に、金型温度調節のために熱媒体を使用し又は電気ヒータを使用するいずれの場合でもスイベルジョイントやスリップリング等の回転接続手段を必要としない射出成形機を提供することを解決の課題とする。
【課題を解決するための手段】
【００１３】
本考案の１は、軸心を中心に回転し、その軸心を中心に１２０度の角度間隔で設定した成形ステージ、取り出し・装填ステージ及び第２装填ステージ間を回転し得るターンテーブルと、前記ターンテーブル上にその軸心を中心とする仮想円弧に沿って１２０度の角度間隔で配した３個の下金型と、前記成形ステージで下方に停止した前記下金型と対面し得る位置関係に配した一個の上金型と、前記ターンテーブルを、これに配した下金型のいずれか一つが上金型と対面しながら前記成形ステージに、他の二つの下金型が取り出し・装填ステージ又は第２装填ステージに、それぞれ位置して一時停止した後、いずれか一回転方向への１２０度の回転と回転先ステージでの一時停止を２度繰り返し、次いで逆回転方向への２４０度の回転により原ステージに復帰するサイクルを繰り返させるように構成した制御手段とを備えた射出成形機である。
【００１４】
本考案の２は、本考案の１の射出成形機に於いて、前記一時停止の時間が、上型と下型とが対面する成形ステージでは、成形加工を、取り出し・装填ステージでは、成形品の取り出しとインサート部品の装填を、装填ステージでは残余のインサート部品の装填を、それぞれ行うのに必要な時間に設定されているものである。
【考案の効果】
【００１５】
本考案の１の射出成形機によれば、一つのインサート成形品は、ターンテーブル上の各下金型に於いて、該ターンテーブルの一回転方向への１２０度の２度の回転と逆回転方向への２４０度の１度の回転の過程で、取り出し・装填ステージでのインサート品の装填、第２装填ステージでの残りのインサート品の装填、成形ステージでの成形加工、取り出し・装填ステージでの成形品の取り出しのそれぞれの工程を行って成形を完了させることができるものであり、簡素な構成でありながら、能率的かつスピーディにインサート成形品の成形工程を行うことができる。
【００１６】
また、前記のように、インサート成形品の成形工程は、ターンテーブルの一回転方向への回転の繰り返しのみではなく、一回転方向への合計２４０度の回転と逆回転方向への２４０度の回転との繰り返しの過程で行われるものであるため、ターンテーブルに配された下金型の温度調節のために、熱媒体として液体を用いる場合又は電気ヒータを用いる場合のいずれの場合も該ターンテーブル内外の間の接続にスイベルジョイントやスリップリングのような回転接続手段を採用する必要がない。例えば、前者の場合は、フレキシブルなホース類を採用することができるし、後者の場合は同様のフレキシブルな電源線を採用することができる。
【００１７】
本考案の２の射出成形機によれば、ターンテーブルの所定回転方向への回転毎の一時停止時間が、全ステージの各々の作業又は動作時間を考慮して適切に設定されているため、無理なくかつ無駄なく能率的な成形工程を進行させることができる。
【考案を実施するための最良の形態】
【００１８】
本考案の射出成形機は、基本的に、ターンテーブルと、該ターンテーブル上に配した３個の下金型と、１個の上金型と、前記ターンテーブルを制御する制御手段とを備えたものである。
【００１９】
前記ターンテーブルは、軸心を中心に回転するように構成した円板部材であり、その軸心を中心に１２０度の角度間隔で設定した成形ステージ、取り出し・装填ステージ及び第２装填ステージ間を回転し得るものである。前記１２０度の角度間隔は、この場合は、各ステージの中心間の角度間隔を云うものである。
【００２０】
前記成形ステージは、上金型と下金型との型閉め及び該金型に於ける射出成形工程が行われるエリアであり、前記取り出し・装填ステージは、成形ステージで射出成形工程が完了して該ステージに回転移動してきた下金型からエジョクトピン等により成形品が突き出し等により取り出される工程が行われ、更にその後、インサート部品の装填工程が行われるエリアである。また前記第２装填ステージは、残りのインサート部品の装填工程が行われるエリアである。成形品の取り出し工程及びインサート部品の装填工程は、手動又はロボットその他の手段を用いて自動的に行われる場合のいずれも採用可能である。
【００２１】
前記ターンテーブルは、当然、前記射出工程で加えられる型締め力等に耐えられる十分な強度を備え、かつそのように取り付けられている必要がある。また該ターンテーブルは、当然、これを回転駆動する回転駆動手段を付設してある必要があるが、これには電動モータ及び減速機等によって構成された既存のそれを自由に採用することができる。また各下金型を各ステージに正確に位置決めする必要があるが、その位置決め手段も所要の能力を備えた既存のそれを採用することができる。
【００２２】
前記３個の下金型は、前記ターンテーブル上にその軸心を中心とする仮想円弧に沿って１２０度の角度間隔で配する。この１２０度の角度間隔も隣接する下金型相互の中心間の角度間隔である。また３個の下金型は、当然ながら全て同一の構成であり、目的とするインサート成形品を成形するための一方の金型要素である。これらには温度調節手段を付設したものを採用する。温度調節手段は、電気ヒータ又は熱媒体を水又は油等の種々の液体とするそれのいずれでも採用可能である。
【００２３】
前記１個の上金型は、前記成形ステージで下方に停止した前記下金型と対面し得る位置関係でその上方に配する。この上金型は、前記下金型と対になって目的とするインサート成形品を成形するための他方の金型要素である。この上金型には型締め機構が付設され、前記ターンテーブルの各回転毎に直下に位置して一時停止している下金型上に下降して型閉め工程を行い、更に型締め力まで昇圧する型締め工程を行い、溶融プラスチックの射出工程に備えるべく動作するようになっている。この上金型には、温度調節手段をも付設する。該温度調節手段は電気ヒータ、或いは熱媒体を水又は油等の種々の液体とするそれのいずれでも採用可能である。
【００２４】
前記制御手段は、前記ターンテーブルを、これに配した下金型のいずれか一つが上金型と対面しながら前記成形ステージに、他の二つの下金型が取り出し・装填ステージ又は第２装填ステージに、それぞれ位置して一時停止した後、いずれか一回転方向への１２０度の回転と回転先ステージでの一時停止を２度繰り返し、次いで逆回転方向への２４０度の回転により原ステージに復帰するサイクルを繰り返させるように構成したものである。
【００２５】
なお、前記一時停止の時間は、上型と下型とが対面する成形ステージでは、成形加工を、取り出し・装填ステージでは、成形品の取り出しとインサート部品の装填を、装填ステージでは残余のインサート部品の装填を、それぞれ行うのに必要な時間に設定する。該一時停止の時間は、例えば、インサート部品の下金型への装填作業を手動で行う場合は、予め一定時間に設定しておくのではなく、作業者が装填作業を完了する毎に完了ボタンを押し下げて制御手段に完了信号を送るまでの時間に設定することもできる。
【００２６】
該制御手段による制御は、具体的には、前記ターンテーブルを回転駆動する回転駆動手段及び位置決め手段に対して行うように構成することができる。該制御手段は、例えば、該ターンテーブルの動きを検出するロータリーエンコーダや位置決め手段の動作を検出するセンサ等の補助手段と、これらの補助手段の出力信号の供給を受けて、所定のソフトウエアの指示に従って演算処理し、前記回転駆動手段及び位置決め手段に必要な制御信号を出力する演算手段とを主要構成要素として構成することができる。該制御手段としては、いずれにしても、前記のような制御を行い得る手段を自由に採用することができる。
【００２７】
従って本考案の射出成形機によれば、一つのインサート成形品は、ターンテーブル上の各下金型に於いて、該ターンテーブルの一回転方向への１２０度の２度の回転と逆回転方向への２４０度の１度の回転の過程で、取り出し・装填ステージでのインサート品の装填、第２装填ステージでの残りのインサート品の装填、成形ステージでの成形加工、取り出し・装填ステージでの成形品の取り出しのそれぞれの工程を行って成形を完了させることができるものであり、高能率かつ高速でインサート成形品の成形を行うことができる。
【００２８】
また、前記のように、インサート成形品の成形工程は、ターンテーブルの一回転方向への回転の繰り返しのみではなく、一回転方向への２回で合計２４０度の回転と逆回転方向の２４０度の回転との繰り返しの過程で行われるものであるため、該ターンテーブルに配された下金型の温度調節のために、熱媒体として液体を用いる場合又は電気ヒータを用いる場合のいずれの場合であっても該ターンテーブル内外間の接続にスイベルジョイントやスリップリングのような回転接続手段を採用する必要がない。例えば、前者の場合は、フレキシブルなホース類を採用することができるし、後者の場合は同様のフレキシブルな電源線を採用することができる。従ってこれらの部位の確実な動作が確保でき、故障の虞が低下する。
【００２９】
前記ターンテーブルの所定回転方向への回転毎の一時停止時間を、全ステージの各々の作業又は動作時間を考慮して適切に設定しておけば、無理なくかつ無駄なく能率的な成形工程を進行させることができる。またインサート部品の装填工程を手動で行うように構成した場合は、装填作業の完了毎に作業者が押しボタン等で制御手段に完了信号を送ることで前記一時停止時間の終了を決定することとすることで、作業を無理なく確実に行うようにすることができる。
【実施例】
【００３０】
この実施例の射出成形機は、図１及び図２に示すように、基本的に、ターンテーブル１と、該ターンテーブル１上に配した３個の下金型２ａ、２ｂ、２ｃと、１個の上金型３と、前記ターンテーブル１を制御する図示しない制御手段とを備えた構成のものである。
【００３１】
前記ターンテーブル１は、図１及び図２に示すように、中心軸４を中心に回転自在に配した金属円板部材であり、図１に示すように、該中心軸４を中心に１２０度の角度間隔で設定した取り出し・装填ステージｓ１、第２装填ステージｓ２及び成形ステージｓ３間をその上に取り付けた下金型２ａ、２ｂ、２ｃが通過すべく回転するように配したものである。なお、前記１２０度の角度間隔は、この場合は、各ステージの中心間の角度間隔を云う。
【００３２】
前記ターンテーブル１は、これを回転駆動する図示しない回転駆動手段を備える。また各下金型を、各ステージｓ１、ｓ２、ｓ３に正確に位置決めする位置決め手段を備える。この実施例ではいずれも既存のそれを用いている。
【００３３】
前記３個の下金型２ａ、２ｂ、２ｃは、図１に示すように、前記ターンテーブル１上にその中心軸４を中心とする仮想円弧に沿って１２０度の角度間隔で配する。この１２０度の角度間隔も隣接する下金型２ａ、２ｂ又は２ｂ、２ｃ若しくは２ｃ、２ａの中心間の角度間隔を云う。これらの３個の下金型２ａ、２ｂ、２ｃは、当然ながら全て同一の構成であり、目的とするインサート成形品を成形するための一方の金型要素である。
【００３４】
これらの下金型２ａ、２ｂ、２ｃには、この実施例では、熱媒体として油を用いた既存の温度調節手段を付設した。ターンテーブル１の内外を接続する配管は余裕を持った長さのフレキシブルなホースで構成した。
【００３５】
前記１個の上金型３は、図１及び図２に示すように、前記中心軸４及び他の２本の支柱５、５に昇降自在に支持された取付部材６の下面に固設する。該取付部材６は、前記成形ステージｓ３の上方に昇降自在に配した物で、該上金型３は、該成形ステージｓ３でその下方に停止した前記いずれかの下金型２ａ（２ｂ、２ｃ）と対面し得る位置関係で該取付部材６に固設したものである。この上金型３は、前記下金型２ａ、２ｂ、２ｃと順次対になって目的とするインサート成形品を成形するための他方の金型要素である。
【００３６】
この上金型３には、前記取付部材６を介して図示しない型締め機構が付設され、前記ターンテーブル１の各回転動作毎に該上金型３の直下に位置して一時停止している下金型２ａ（２ｂ、２ｃ）上に下降して所定の型締め動作を行うようになっている。
【００３７】
またこの上金型３にも前記下金型２ａ、２ｂ、２ｃと同様の温度調節手段を付設する。
【００３８】
前記制御手段は、この実施例では、前記ターンテーブル１を、これに配した下金型２ａ、２ｂ、２ｃのいずれか一つが上金型３と対面しながら前記成形ステージｓ３に、他の二つの下金型が取り出し・装填ステージ又は第２装填ステージに、それぞれ位置して一時停止した後、図１中、矢印ａ１、ａ２、ａ３に示すように、左回転方向への１２０度の回転と回転先ステージでの一時停止を２度繰り返し、次いで逆回転方向への２４０度の回転により原ステージに復帰するサイクルを繰り返させるように構成したものである。
【００３９】
また前記制御手段による制御は、前記ターンテーブル１を回転駆動する回転駆動手段及び位置決め手段に対して行うように構成し、該ターンテーブル１の動きを検出するロータリーエンコーダ及び位置決め手段の動作を検出するセンサ等の補助手段と、これらの補助手段の出力信号の供給を受けて、所定のソフトウエアの指示に従って演算処理し、前記回転駆動手段及び位置決め手段に必要な制御信号を出力する演算手段とを主要構成要素として構成してなる既存の手段を採用した。
【００４０】
なお、前記一時停止の時間は、この実施例では、固定した時間ではなく、各ステージｓ１、ｓ２、ｓ３に配したセンサからの情報信号により、それぞれのステージに於ける工程の完了を確認して、その時間の終期を決定するように構成した。
【００４１】
従って本考案の射出成形機によれば、一つのインサート成形品は、ターンテーブル１上の各下金型２ａ、２ｂ、２ｃに於いて、該ターンテーブル１の左回転方向への１２０度の２度の回転と右回転方向への２４０度の１度の回転の過程で、取り出し・装填ステージｓ１でのインサート品の装填、第２装填ステージｓ２での残りのインサート品の装填、成形ステージｓ３での成形加工、取り出し・装填ステージｓ１での成形品の取り出しのそれぞれの工程を行って、高能率かつ高速にその成形を完了させることができる。
【００４２】
この動作を詳細に説明する。
各ステージでは、常に同一の作業又は動作が行われる。
前記取り出し・装填ステージｓ１では、装置の動作開始時は、該ステージｓ１に位置する下金型２ａ、２ｂ、２ｃには成形品が入ってはいないので、該当するインサート部品の装填作業のみが行われる。その後は、成形品の取り出し及び引き続く該当するインサート部品の装填作業が行われる。
第２装填ステージｓ２では、残りのインサート部品の装填作業が行われる。
成形ステージｓ３では、型閉め及び型締め工程が行われて溶融プラスチックが注入され、成形工程が行われる。
【００４３】
またいずれの下金型２ａ、２ｂ、２ｃに於いても、当然ながら、取り出し・装填ステージｓ１でのインサート部品の装填作業、第２装填ステージｓ２での残りのインサート部品の装填作業、成形ステージｓ３での成形工程、取り出し・装填ステージｓ１での成形品の取り出し工程の順序は不変である。２回目以降の成形サイクルでは、最後の取り出し・装填ステージｓ１での成形品の取り出し工程に引き続いて同ステージでインサート部品の装填作業に入ることになるのは云うまでもない。
【００４４】
各下金型毎に動作を説明するものとし、まず下金型２ａから始める。
図３(a)に示すように、下金型２ａが初めに取り出し・装填ステージｓ１に位置するものとして説明を開始する。動作開始時点には、該下金型２ａには、成形品は入っていないので、ここでは、所定のインサート部品の装填のみを行う。インサート部品の装填及び他のステージに於ける他の下金型２ｂ、２ｃに於ける必要な動作等の完了が確認されると、ターンテーブル１が、矢印ａ１に示すように、１２０度左方向に回転して、該下金型２ａを第２装填ステージｓ２に移動させて停止する。ここでは該下金型２ａに残余のインサート部品を装填する。
【００４５】
ここでも所定の確認動作が行われると、ターンテーブル１が、矢印ａ２に示すように、更に１２０度左回転方向に回転して、該下金型２ａを成形ステージｓ３に移動させて停止する。ここでは、前記上金型３が下降して、型閉め及び型締め工程が行われ、溶融プラスチックが注入されて成形工程が行われる。この後、所定の確認動作が行われると、ターンテーブル１が、今度は、矢印ａ３に示すように、２４０度右回転方向に回転して、該下金型２ａを原ステージである取り出し・装填ステージｓ１に移動させて停止する。このステージｓ１では、成形品の取り出し工程が行われ、引き続いて次の成形サイクルのインサート部品の装填作業が行われることになる。
【００４６】
次に下金型２ｂの動作を説明する。下金型２ａと同様の説明の部分は省略する。
下金型２ｂは、下金型２ａが取り出し・装填ステージｓ１に位置する時点で、図３(b)に示すように、第２装填ステージｓ２に位置しているので、ここから説明を開始する。
【００４７】
第２装填ステージｓ２にこの時点で位置する下金型２ｂには、このステージｓ２で装填すべきインサート部品は装填しない。装填順序が不都合であるからである。所定の確認動作が行われると、ターンテーブル１が、矢印ｂ１に示すように、１２０度左方向に回転して、該下金型２ｂを成形ステージｓ３に移動させて停止する。ここでもこの下金型２ｂには、インサート部品が装填されていないので成形工程は行われない。ここでもまた所定の確認動作が行われると、ターンテーブル１が、矢印ｂ２に示すように、１２０度左方向に回転して、該下金型２ｂを取り出し・装填ステージｓ１に移動させて停止する。ここで初めてこのステージｓ１で装填すべきインサート部品の装填作業を行う。
【００４８】
次いで同様の確認動作が行われると、今度は、ターンテーブル１が、矢印ｂ３に示すように、２４０度右方向に回転して、該下金型２ｂを第２装填ステージｓ２に移動させて停止する。ここでは該下金型２ｂに残余のインサート部品を装填する。その後、所定の確認動作が行われると、ターンテーブル１が、矢印ｂ１に示すように、１２０度左回転方向に回転して、該下金型２ｂを成形ステージｓ３に移動させて停止し、今度はここで成形動作が行われる。この後、また所定の確認動作が行われると、ターンテーブル１が、矢印ｂ２に示すように、１２０度左回転方向に回転して、該下金型２ｂを取り出し・装填ステージｓ１に移動させて停止する。このステージｓ１では、成形品の取り出し工程が行われ、引き続いて次の成形サイクルのインサート部品の装填作業が行われることになる。
【００４９】
次に下金型２ｃの動作を説明する。下金型２ａ、２ｂと同様の説明の部分は省略する。
下金型２ｃは、下金型２ａが取り出し・装填ステージｓ１に位置する時点で、図３(c)に示すように、成形ステージｓ３に位置しているので、ここから説明を開始する。
【００５０】
この下金型２ｃには、この時点でインサート部品が装填されていないので成形工程は行われない。所定の確認動作が行われると、ターンテーブル１が、矢印ｃ１に示すように、１２０度左方向に回転して、該下金型２ｃを取り出し・装填ステージｓ１に移動させて停止する。ここでこのステージｓ１で装填すべきインサート部品の装填作業を行う。また同様の確認動作が行われると、ターンテーブル１が、矢印ｃ２に示すように、更に１２０度左方向に回転して、該下金型２ｃを第２装填ステージｓ２に移動させて停止する。ここでは該下金型２ｂｃ残余のインサート部品を装填する。
【００５１】
その後、所定の確認動作が行われると、今度は、ターンテーブル１が、矢印ｃ３に示すように、２４０度右回転方向に回転して、該下金型２ｃを成形ステージｓ３に移動させて停止し、今度はここで成形動作が行われる。この後、また所定の確認動作が行われると、ターンテーブル１が、矢印ｃ１に示すように、１２０度左回転方向に回転して、該下金型２ｃを取り出し・装填ステージｓ１に移動させて停止する。このステージｓ１では、成形品の取り出し工程が行われ、引き続いて次の成形サイクルのインサート部品の装填作業が行われることになる。
【００５２】
図４は、以上の下金型２ａ、２ｂ、２ｃのターンテーブル１の回転に基づく位置の変化を示す図である。概略を説明すると以下の通りである。
【００５３】
下金型２ａは進行番号１番で取り出し・装填ステージｓ１に位置し、最初のステージから有効に所定の動作を開始し、進行番号の順序通りに、このステージｓ１から第２装填ステージｓ２に、第２装填ステージｓ２から成形ステージ２ｃにと移動して各々所定の動作を行い、更に進行番号４番で取り出し・装填ステージｓ１に戻る。
【００５４】
下金型２ｂは、進行番号１番で、下金型２ａが取り出し・装填ステージｓ１に位置するとき、第２装填ステージｓ２に位置し、進行番号２番で成形ステージｓ３に移動する。進行番号３番で、下金型２ａが成形ステージｓ３に位置するとき、この下金型２ｂは取り出し・装填ステージｓ１に到達し、このステージｓ１から有効に所定の動作を開始する。アンダーラインのないステージ符号は、当該のステージで有効な所定の動作が行われていることを示している。
【００５５】
下金型２ｃは、進行番号１番で、下金型２ａが取り出し・装填ステージｓ１に位置し、下金型２ｂが第２装填ステージｓ２に位置しているとき、成形ステージｓ３に位置している。該下金型２ｃは、進行番号２番で、下金型２ａが第２装填ステージｓ２に位置し、下金型２ｂが成形ステージｓ３に位置するとき、取り出し・装填ステージｓ１に位置することとなり、このステージｓ１から有効に所定の動作を開始する。進行番号３番で、下金型２ａが成形ステージｓ３に位置するとき、この下金型２ｃは、第２装填ステージｓ２に位置し、所定の有効な動作を行い、更に進行番号４番で、下金型２ａが取り出し・装填ステージｓ１に戻ったとき、下金型２ｃは成形ステージｓ３に到達する。
【００５６】
ところで、前記のように、以上のインサート成形品の成形工程は、ターンテーブル１の左回転方向の回転の繰り返しのみではなく、左回転方向の２回で合計２４０度の回転と右回転方向の２４０度の回転との繰り返しの過程で行われるものであるため、該ターンテーブル１に配された下金型２ａ、２ｂ、２ｃの温度調節手段の配管の内、ターンテーブル１の内外を接続する手段としては、スイベルジョイントではなく、単なるフレキシブルなホースが用いられているが、これが損傷を生じるような問題の生じる虞はない。
【図面の簡単な説明】
【００５７】
【図１】実施例の射出成形機のターンテーブル付近の平面概略説明図。
【図２】実施例の射出成形機のターンテーブル付近の側面概略説明図。
【図３】(a)はターンテーブル上の３個の下金型の内の一個のそれの動きを示した説明図、(b)は他の一個の下金型の動きを示した説明図、(c)は残りの一個の下金型の動きを示した説明図。
【図４】ターンテーブルの回転に基づく３個の下金型の位置の変化を示す図。
【符号の説明】
【００５８】
１    ターンテーブル
２ａ、２ｂ、２ｃ  下金型
３    上金型
４    中心軸
５    支柱
６    取付部材
ｓ１  取り出し・装填ステージ
ｓ２  第２装填ステージ
ｓ３  成形ステージ
ａ１、ａ２、ａ３、ｂ１、ｂ２、ｂ３、ｃ１、ｃ２、ｃ３  矢印
【図１】
0003124611.tif 000003
【図２】
0003124611.tif 000004
【図３】
0003124611.tif 000005
【図４】
0003124611.tif 000006